(57)【要約】【課題】環境変化や流行病の情報を基に早期の疾病の発生の予測を行い、その疾病の発生のリスクを負っている人々や医師にその通知を行う疾病管理装置を提供する。【解決手段】環境変化や流行病の傾向を表わす環境因子を取得する環境因子取得手段００１と、取得した環境因子又は該環境因子の組み合わせを基に所定の疾病の発生を予測する疾病予測手段００２と、予め疾病の発生するリスクを有する通知対象者の群を記憶しておき、発生が予測された疾病の情報を受けて、該疾病の発生するリスクに対応する群を検索する通知対象者管理手段００４と、検索された群に含まれる通知対象者に警告を通知する警告手段００５とを備える。【選択図】図１
2008165716.tif 000002
【特許請求の範囲】
【請求項１】
環境変化や流行病の傾向を表わす環境因子を取得する環境因子取得手段と、
前記取得した環境因子又は該環境因子の組み合わせを基に所定の疾病の発生を予測する疾病予測手段と、
予め前記疾病の発生するリスクを有する通知対象者の群を記憶しておき、前記発生が予測された疾病の情報を受けて、該疾病の発生するリスクに対応する群を検索する通知対象者管理手段と、
前記検索された群に含まれる前記通知対象者に警告を通知する警告手段と
を備えることを特徴とする疾病管理装置。
【請求項２】
前記通知対象者の個人の現状の健康状態を示す情報を取得する個人情報取得手段と、
前記健康状態を示す情報から前記通知対象者における前記疾病の発生を検出する疾病発生検出手段と
をさらに備え、
前記警告手段は、
前記疾病を発生するリスクを有する群の中の前記疾病の発生の割合に基づいて警告内容を変更する
ことを特徴とする請求項１に記載の疾病管理装置。
【請求項３】
前記警告手段は、
予め決められた、家族及び医療機関を含む前記通知対象者の関係者、前記対象者の所属機関、又は公共機関に警告を通知する
ことを特徴とする請求項１又は請求項２に記載の疾病管理装置。
【請求項４】
前記環境因子は気温、湿度、及び台風を含む気象情報であり、
前記疾病予測手段は、前日との気温差及び湿度の割合、台風の接近、又はそれらの組み合わせを基に喘息の発生を予測する
ことを特徴とする請求項１乃至３のいずれか一つに記載の疾病管理装置。
【請求項５】
予め疾病の発生するリスクを有する通知対象者の群を記憶する段階と、
外部から環境変化や流行病の傾向を表わす環境因子を取得する環境因子取得段階と、
前記取得した環境因子又は該環境因子の組み合わせを基に所定の疾病の発生を予測する疾病予測段階と、
前記発生が予測された疾病の情報を受けて、該疾病の発生するリスクに対応する群を検索する通知対象者管理段階と、
前記検索された群を受けて警告を通知する通知段階と
を有することを特徴とする疾病管理方法。
【請求項６】
コンピュータに、
予め疾病の発生するリスクを有する通知対象者の群を記憶させ、
外部から環境変化や流行病の傾向を表わす環境因子を取得させ、
前記取得した環境因子又は該環境因子の組み合わせを基に所定の疾病の発生を予測させ、
前記発生が予測された疾病の情報を受けて、該疾病の発生するリスクに対応する群を検索させ、
前記検索された群を受けて警告の通知を実行させる
ことを特徴とする疾病管理プログラム。
【発明の詳細な説明】
【技術分野】
【０００１】
本発明は、環境条件の変化や流行病の傾向から疾病を予測し本人や医師等に通知する疾病管理装置、疾病管理方法、及び疾病管理プログラムに関する。
【背景技術】
【０００２】
近年、人口の高齢化に伴い生活習慣病などの慢性疾患が増加してきている。そのため、これまでは罹患してしまった病気を治すことに置かれてきた重点が、最近では病気や障害との上手な付き合い方や病気にならないための努力など、日々の生活を豊かに過ごすための技術に重点が置かれるようになってきている。そのため、医療においても、生活の質を重視した取り組みがますます求められてきている。そこで、近年の医療政策では、病気の発症あるいは悪化防止により生活の質の向上と医療資源の有効活用を図るという疾病管理が求められるようになってきた。この疾病管理により、疾病の予防、糖尿病や喘息、心疾患などの悪化の予防、ガン医療の管理など、事前事後の適切な対応策を講じることで、医療の質や、生活の質の向上が目指されている。
【０００３】
さらに、病気を発症してしまった場合には、それを治療するために多くの時間と費用を費やすことになる。この場合、その病気をなるべく早期に発見することで、費用や時間を押さえることができる。また、発症する前の段階で予防できれば治療に比べその時間と費用の大部分を抑えることができると考えられる。そのため、疾病管理においては、病気や異常をいち早く検出して本人に通知することが重要となる。
【０００４】
また、近年ではＥＨＲ（Ｅｌｅｃｔｒｉｃ  Ｈｅａｌｔｈ  Ｒｅｃｏｒｄ）といった、生涯カルテ、日々の生体情報、及び個人の使用薬の情報といった個人の医療情報を一括して一元的に管理する技術が提案されており、個人におけるリアルタイムでの健康状態の変化の把握が可能となり、さらに、同じような病気のリスクを持つ患者をまとめて群として管理するといった複数の医療提供者間における情報シェアや相互連携が可能となってきている。
【０００５】
この点、従来、健康診断や定期健診などにより、病気や異常の早期発見が行われてきた。また、生活習慣病の患者に対し健常人又は健常動物の体液中の歯周病原菌由来エンドトキシンを検出又はその濃度を測定することで、上記生化学的パラメータの変動を推測し、生活習慣病の発症リスクを予測する方法（例えば、特許文献１参照。）や、在宅患者の生体情報を測定し、医療機関へその情報を伝達する在宅医療支援システム（例えば、特許文献２参照。）などが提案されている。
【０００６】
【特許文献１】特開２００５−１４０６１８号公報
【特許文献２】特開平１０−５２４０７号公報
【発明の開示】
【発明が解決しようとする課題】
【０００７】
しかし、健康診断や定期健診では診察を受けに行かなければ病気の発見及び予測が受けられないため、後手に廻るおそれがある。また、個人の健康状態を表す情報などを受けて、発生のおそれのある病気などの予測を行う場合、その生体情報を送った個人の病気の予防や早期発見は可能であるが、その情報は一般化できないため、他の同じようなリスクを負っている人の病気の予防や早期発見を行うことは困難である。
【０００８】
この発明は、このような事情に鑑みてなされたもので、環境変化や流行病の情報を基に早期の疾病の発生の予測を行い、その疾病の発生のリスクを負っている人々や医師にその通知を行う疾病管理技術を提供することを目的としている。
【課題を解決するための手段】
【０００９】
上記目的を達成するために、請求項１に記載の疾病管理装置は、環境変化や流行病の傾向を表わす環境因子を取得する環境因子取得手段と、前記取得した環境因子又は該環境因子の組み合わせを基に所定の疾病の発生を予測する疾病予測手段と、予め前記疾病の発生するリスクを有する通知対象者の群を記憶しておき、前記発生が予測された疾病の情報を受けて、該疾病の発生するリスクに対応する群を検索する通知対象者管理手段と、前記検索された群に含まれる前記通知対象者に警告を通知する警告手段とを備えることを特徴とする疾病管理装置。
【００１０】
請求項５に記載の疾病管理方法は、予め疾病の発生するリスクを有する通知対象者の群を記憶する段階と、外部から環境変化や流行病の傾向を表わす環境因子を取得する環境因子取得段階と、前記取得した環境因子又は該環境因子の組み合わせを基に所定の疾病の発生を予測する疾病予測段階と、前記発生が予測された疾病の情報を受けて、該疾病の発生するリスクに対応する群を検索する通知対象者管理段階と、前記検索された群を受けて警告を通知する通知段階とを有することを特徴とするものである。
【００１１】
請求項６に記載の疾病管理プログラムは、コンピュータに、予め疾病の発生するリスクを有する通知対象者の群を記憶させ、外部から環境変化や流行病の傾向を表わす環境因子を取得させ、前記取得した環境因子又は該環境因子の組み合わせを基に所定の疾病の発生を予測させ、前記発生が予測された疾病の情報を受けて、該疾病の発生するリスクに対応する群を検索させ、前記検索された群を受けて警告の通知を実行させることを特徴とするものである。
【発明の効果】
【００１２】
請求項１に記載の疾病管理装置、請求項５に記載の疾病管理方法、及び請求項６に記載の疾病管理プログラムによると、環境因子を基に早期の疾病の発生の予測を行い、その疾病の発生のリスクを負っている人々や医師にその通知を行うことができる。これにより、特定の疾病の発生のリスクを負っている通知対象者に対する疾病の予防や早期の対処が可能となる。
【発明を実施するための最良の形態】
【００１３】
〔第１の実施形態〕
以下、この発明の第１の実施形態に係る疾病管理装置について説明する。図１は本実施形態に係る疾病管理装置の機能を表すブロック図である。図１に示される各手段はＣＰＵ及び動作を規定するプログラムで構成されている。
【００１４】
環境因子取得手段００１は、外部のシステム１００からネットワークを介して又は自らが有するデータベースから、環境変化や流行病の傾向などの疾病を発生させる原因となる環境因子を取得する。ここで、外部のシステム１００とは各省庁が公開するような公共情報などでもよく、外部に設置された温度センサや湿度センサなどを有する環境の情報を取得する装置などでもよい。本実施形態では、外部に温度センサと湿度センサを設けその情報を受け、さらに気象情報を気象庁から受けている場合で説明する。以下では、環境因子取得手段００１が、前日の気温が１０℃、本日の気温が１３度、湿度が７０％、光化学スモッグ警報が発令されている、という環境因子を取得した場合で説明する。ただし、前日の気温は前日のうちに環境因子取得手段００１が取得したものとする。
【００１５】
環境因子取得手段００１は、取得した環境因子を疾病予測手段００２に送る。ただし、環境因子取得手段００１は、前日の気温は既に前日のうちに疾病予測手段００２に送っているものとする。
【００１６】
疾病予測手段００２は、図２に示すような環境因子及びその組み合わせの条件と、その条件に対応した疾病の発生の予測テーブル２００を予め記憶している。ここで、図２は環境因子から発生する疾病を求めるための予測テーブルを表す図である。本実施形態では、図２に示すように、左の列２０１に環境因子及びその組み合わせの条件が記載されており、右の列２０２に左の条件によって引き起こされる可能性のある疾病が記載されている。
【００１７】
疾病予測手段００２は、前日に送られてきている前日の気温（２０℃）を記憶しており、本日受けた気温（１３℃）との差（１３−２０＝−７℃）を前日との気温差として求める。
【００１８】
そして、疾病予測手段００２は、前日との気温差がー７℃であり、本日の湿度が７０％であることから、本日の環境因子及びその組み合わせにより求めた条件が、図２のテーブルの環境因子の列２０１の中の条件２０３に当てはまることを判定する。そして、疾病予測手段００２は、列２０２の中で条件２０３に対応する疾病情報２０４を参照する。これにより、疾病予測手段００２は、本日の環境因子の条件により喘息発作という疾病の発生を予測する。
【００１９】
同様に、疾病予測手段００２は、台風まで距離が接近している情報を受け取っている場合は、テーブル２００を参照し、疾病情報２０５から喘息発作という疾病の発生を予測する。また、光化学スモッグ警報が発令されている場合は、テーブル２００を参照し、疾病情報２０６から目の異常という疾病の発生を予測する。
【００２０】
疾病予測手段００２は、予測した疾病の情報を実行制御手段００３に送る。
【００２１】
実行制御手段００３は、特定の疾病に対しどのような警告を通知するかを示した、疾病に対応した警告の内容のテーブル、及び、図５に示すような通知対象者５０１に対応した通知先情報５０３の通知先テーブル５００を予め有している。ここで、図５は通知対象者と対応する通知先１０１の情報のテーブルの図であり、通知対象者５０１の列に各通知対象者の名前が記載されており、通知先名５０２の列に通知対象者に対して通知する場合の通知先の名前が記載されており、通知先情報５０３にはその通知先名５０２に通知する場合に実際にどこに通知するのかの情報である。ここで、通知先１０１である通知先名５０２及び通知先情報５０３には特に限定はなく、通知対象者本人だけではなく、その家族や医師等の関係者、幼稚園、会社、又は学校などの通知対象者の所属機関、及びマスメディアや市役所などの公共機関など、通知が必要と思われる通知先であればどこでも設定することができる。
【００２２】
実行制御手段００３は、疾病予測手段００２から予測された疾病の情報を受け取り、その疾病の情報を通知対象者管理手段００４に送る。本実施形態の場合、実行制御手段００３は、「喘息発作」及び「目の異常」という情報を受け取り通知対象者管理手段００４に送る。
【００２３】
実行制御手段００３は、予測された疾病が発生するリスクを有する群に含まれる通知対象者の情報を通知対象者管理手段００４から受けとる。実行制御手段００３は、自らが有する疾病に対応した警告の内容のテーブルを参照して警告内容を確定し、さらに、自らが有する通知先テーブル５００を参照して警告を通知する通知先を取得する。次に、実行制御手段００３は、通知先の情報及び疾病に対応した警告内容を警告手段００５に送る。
【００２４】
通知対象者管理手段００４は、予めＥＨＲ（Ｅｌｅｃｔｒｉｃ  Ｈｅａｌｔｈ  Ｒｅｃｏｒｄ）から図３又は図４に示すような特定の疾病を発生するリスクを有する群を取得して記憶している。図３は通知対象者の群の表形式による管理方法を説明するための図である。図４は通知対象者の群を群毎に管理する方法を説明するための図である。ここでは一例として通知対象者管理手段００４は、図３に示すように表３００の形式や図４に示すように疾病のリスクを有している個々の群４００として各群を記憶しているように記載しているが、この記憶の仕方に制限はなく、ある群に含まれる通知対象者を特定できるような形であればよい。また、本実施形態では図３又は図４に示すような特定の疾病を発生するリスクを有する群は疾病管理装置内部に記憶されているが、この図３又は図４に示す群は疾病管理装置外部に存在してもよい。
【００２５】
さらに、通知対象者管理手段００４は、特定の疾病に対しどの群に含まれる通知対象者が疾病発生のリスクを有しているかの対応テーブルを有している。これは、例えば、Ａという疾病が予測された場合に、Ａが発生するリスクを有するのは、Ｂ群、Ｃ群、Ｄ群であるというように、ある疾病を受けたときに対応する群を選択するためのテーブルである。
【００２６】
通知対象制御手段００４は、実行制御手段００３から受けた予測された疾病の情報を基に、自らが有する対応テーブルを参照し、自らが記憶している群の中からその疾病に対応する疾病発生のリスクを有している群を検索する。ここでは、通知対象者管理手段００４は、図３の表３００からは、喘息の場合、喘息発作のリスクを有しているのは喘息群３０１であり、目の異常の場合、目の異常が発生するリスクを有しているのは眼病歴群３０４であると検索でき、図４の各群４００からは、喘息の場合、喘息発作のリスクを有しているのは喘息群４０１であり、目の異常の場合、目の異常が発生するリスクを有しているのは眼病歴群４０２であると検索できる。
【００２７】
さらに、通知対象制御手段００４は、その検索した群に含まれる通知対象者を抽出する。通知対象者管理手段００４が図３の表３００の形式で記憶している場合であれば、喘息の場合、通知対象者管理手段００４は、喘息群３０１の列の中からチェックが付いている人を抽出する。すなわち、通知対象者管理手段００４は、喘息群３０１の中かから、３０２のチェックを検出しそれに対応するＡさんを抽出し、３０３のチェックを検出しそれに対応するＣさんを抽出し、さらに同様にして他のチェックが付いている通知対象者も抽出する。また、目の異常の場合、通知対象者管理手段００４は、同様にして、眼病歴群３０４で通知対象者の抽出を行い、Ｂさん、Ｃさん、及びその他のチェックが付いている通知対象者を抽出する。
【００２８】
通知対象者管理手段００４が図４の各群４００の形式で記憶している場合であれば、通知対象者管理手段００４は、各群４００に含まれる患者を抽出する。すなわち、喘息の場合、通知対象者管理手段００４は、喘息群４０１に含まれるＡさん、Ｂさん、及びその他の人を抽出し、目の異常の場合、眼病歴群４０２に含まれるＢさん、Ｃさん、及びその他の人を抽出する。
【００２９】
上記のように、図３に示す表３００の形式で記憶している場合には通知対象者の抽出は遅くなるが、データの量は少なくてすむし、図４に示す各群４００の形式で記憶している場合にはデータの量は増大するが、通知対象者の抽出時間は早くなる。
【００３０】
そして、通知対象者管理手段００４は、実行制御手段００３に発生が予測された疾病に対応する群及びその群に含まれる通知対象者を通知する。ここでは、通知対象者管理手段００４は、喘息の場合は、Ａさん、Ｂさん、及びその他の喘息群に含まれる人の名前などの識別情報を送り、目の異常の場合は、Ｂさん、Ｃさん、及びその他の人の識別情報を送る。
【００３１】
本実施形態では、一つの疾病に対し一つの群しか検索していないが、これは一つの疾病に対し複数の群を検索してもよく、その場合には、通知対象者管理手段００４は、複数の群に含まれる全ての通知対象者を抽出することになる。
【００３２】
警告手段００５は、実行制御手段００３から受けた通知先１０１に、実行制御手段００３から受けた内容の警告を通知する。ここでは、図５に示すように通知対象者５０１のＡさん及びＢさんに対しては、通知先名５０２として、それぞれ、Ａさん及び主治医Ａ、主治医Ｂが設定されており、警告手段００５は、その通知先情報５０３である、Ａさんの電話番号及びメールアドレス、主治医Ｂのメールアドレス、主治医Ｂのメールアドレスに対して喘息発作の警告が送られる。
【００３３】
また、警告手段００５は、通知対象者５０２のＢさん及びＣさんに対応する通知先情報５０３に記載された主治医Ｂのメールアドレス、Ｃさんの各電話番号及びＣさんの父親のメールアドレスに対して、目の異常の警告を送る。
【００３４】
次に、図６を参照して本実施形態に係る疾病管理装置の疾病管理の動作の流れを説明する。ここで、図６は本実施形態に係る疾病管理装置の疾病管理のフローチャートの図である。
【００３５】
ステップＳ００１：環境因子取得手段００１は外部のシステム又は内部のデータベースなどから環境因子を取得する。
【００３６】
ステップＳ００２：疾病予測手段００２は、環境因子取得手段００１から環境因子を受けて、その環境因子及びその組み合わせを基に、予測テーブル２００（図２参照）を参照して発生するおそれのある疾病を予測する。
【００３７】
ステップＳ００３：通知対象者管理手段００４は、予測された疾病を受けて、特定の疾病に対しどの群に含まれる通知対象者が疾病発生のリスクを有しているかの対応テーブルを参照し、予測された疾病の発生のリスクを有する群を検索する。さらに、検索した群に含まれる通知対象者を抽出する。
【００３８】
ステップＳ００４：実行制御手段００３は、自らが有する疾病に対応した警告の内容のテーブルを参照し、予測された疾病に対応した警告の内容を決定する。さらに、通知対象者管理手段００４から通知対象者の情報を受けて、通知先テーブル５００を参照し、通知先１０１を決定する。
【００３９】
ステップＳ００５：警告手段００５は、実行制御手段００３から受けた通知先１０１に対して、実行制御手段００３から受けた内容の警告を通知する。
【００４０】
本実施形態に係る疾病管理装置は、以上のような疾病管理の動作を規定するプログラムで構成されている。
【００４１】
本実施形態では、喘息発作及び目の異常で説明したが、インフルエンザなどの疾病を予測対象にしてもよい。例えば、公共機関からインフルエンザの流行情報を受けて、その流行の程度からインフルエンザの予測を行い、発生のリスクを有する群を検索する。このとき検索される群としては、免疫力（低）群や幼児の群などがそれにあたる。そして、その群の中に含まれる通知対象者に対応した通知先１０１にインフルエンザ発生の警告を通知する。この場合には、通知先１０１に幼稚園や公的機関などを含めておくことが好ましい。このように、通知先１０１に特定の集団や公共機関などを含めることで、通知対象者だけでなく広く一般的に疾病の発生の予測を広めることができ、地域的もしくは全国的な規模での疾病の予防又は早期対処が可能となる。
【００４２】
以上のように、本実施形態における疾病管理装置においては、環境変化や流行病を表わす環境因子及びその組み合わせを基に、発生するおそれのある疾病を予測し、その疾病を発生するリスクを有する通知対象者及び通知を必要とする所全てに警告を通知することができる。これにより、疾病の発生の予測が早期に行え、その疾病の発生のリスクを有する通知対象者すべての疾病の予防又は早期対処が可能となる。
【００４３】
〔第２の実施形態〕
以下、この発明の第２の実施形態に係る疾病管理装置について説明する。図７は本実施形態に係る疾病管理装置の機能を表すブロック図である。ここで、図７に示される手段のうち、図１に示される各手段と同一符号である手段は同一の機能を有する。本実施形態に係る疾病管理装置は、第１の実施形態に係る疾病管理装置において、通知対象者個人の健康状態の情報を基に警告レベルを変更する構成である。そこで、以下では、通知対象者個人の健康状態の情報の取得から警告レベルの変更について説明する。また、以下の説明では、本実施形態のみの構成で説明するが、本実施形態の疾病管理装置は第１の実施形態の疾病管理装置と共用できるものである。
【００４４】
個人情報取得手段００６は、心電図や血糖値などの生体情報を計測する生体監視センサ１０２などからの各通知対象者の個人的な健康状態を示す情報を受け取る。ここで、本実施形態では生体監視センサ１０２から健康状態を示す情報を直接受け取っているが、これは、生体監視センサ１０２などで得られた情報をＥＨＲ（生涯カルテ）に集め、個人情報取得手段００６は、そのＥＨＲに集められた情報から健康状態を示す情報を取得する構成でもよい。
【００４５】
疾病発生検出手段００７は、実行制御手段００３から予測された疾病を受け、取得した健康状態を示す情報を基に各通知対象者における予測された疾病の発生を検出する。これは、例えば、血糖値などを取得することで、血糖値が所定値を超えた場合に糖尿病の発生を検出したと判断したり、心電図や血圧を取得することで、心電図の波形が崩れたり血圧が所定値を超えた場合に喘息の発生を検出したと判断したりする方法で実現可能である。
【００４６】
疾病発生検出手段００７は、予測された疾病が現在発生している通知対象者の情報を実行制御手段００３に送る。
【００４７】
実行制御手段００３は、疾病発生検出手段００７から予測された疾病が発生している通知対象者の情報をうけ、通知対象者管理手段００４から受けた検索された群に含まれる通知対象者のうち何人が現在既に予測された疾病が発生しているかの割合を算出する。
【００４８】
実行制御手段００３は、疾病に対する発生割合に対応した警告内容（警告レベル）のテーブルを有しており、そのテーブルを参照して、その割合にあわせて警告内容（警告レベル）を変更する。例えば、群が１０人から構成されているとし、１０人中１０〜７人に疾病の発生が検出された場合には警告レベル「高」とし、１０人中６〜４人に疾病の発生が検出された場合には警告レベル「中」とし、１０人中３〜０人に疾病の発生が検出された場合には警告レベル「低」とする。または、喘息の警告において、レベル高の場合には「（警告）喘息発作が起きる可能性が非常に高いです、事前に適切な処置を取ってください。」、レベル「中」の場合には「（注意）喘息発作が起きる可能性があります、気をつけてください。」、レベル「低」の場合には「（情報）喘息発作が起きるかもしれません。」などというように、各疾病において各レベルに合わせて警告の内容を変えてもよい。
【００４９】
警告手段００５は、疾病の発生が検出された通知対象者及び疾病の発生が検出されない通知対象者のいずれも群の中に入っているので、そのいずれにも実行制御手段００３によって決定された警告内容（警告レベル）を通知する。ここで、本実施例では、疾病の発生が検出された通知対象者及び疾病の発生が検出されない通知対象者のいずれにも、同様の警告を通知しているが、これは疾病が発生している通知対象者には罹患を通知し、疾病の発生が検出されていない通知対象者に対しては警告を通知するなど、その内容を異ならせてもよい。
【００５０】
本実施形態では、自動的に通知対象者の疾病発生を検出しているが、これは、例えば、通知対象者が日に数回自らの健康状態を通知してもらうなどして、それを基に医師が疾病の発生を判断した後、疾病が発生した通知対象者の情報を実行制御手段００３に通知する構成でもよい。
【００５１】
以上のように、本実施形態に係る疾病管理装置では群の中の実際に疾病が発生した人の割合にあわせて警告のレベルを変えることができる。これにより、通知対象者はより細やかな疾病の事前の対策を行うことが可能となる。
【図面の簡単な説明】
【００５２】
【図１】第１の実施形態に係る疾病管理装置のブロック図
【図２】環境因子から発生する疾病を求めるための予測テーブルを表す図
【図３】通知対象者の群の表形式による管理方法を説明するための図
【図４】通知対象者の群を群毎に管理する方法を説明するための図
【図５】通知対象者と対応する通知先の情報のテーブルの図
【図６】第１の実施形態に係る疾病管理装置の疾病管理のフローチャートの図
【図７】第２の施形態に係る疾病管理装置の機能を表すブロック図
【符号の説明】
【００５３】
００１  環境因子取得手段
００２  疾病予測手段
００３  実行制御手段
００４  通知対象者管理手段
００５  警告手段
００６  個人情報取得手段
００７  疾病発生検出手段
【図１】
2008165716.tif 000003
【図２】
2008165716.tif 000004
【図３】
2008165716.tif 000005
【図４】
2008165716.tif 000006
【図５】
2008165716.tif 000007
【図６】
2008165716.tif 000008
【図７】
2008165716.tif 000009